(57)【要約】【課題】制御盤における端子台でジャンパーを実施する際に、端子台の周囲に存在する配線部品と干渉せずにジャンパーを容易に実施できると共に、飛び越し導通線のバナナ端子が、端子台に取り付けられているバナナ端子接続用の端子固定具に接触した場合であっても、端子間の短絡等を阻止して、設備の災害の発生を未然に防止することができる、端子台におけるバナナ端子接続用の端子固定具を提供する。【解決手段】本発明に係る端子台におけるバナナ端子接続用の端子固定具は、バナナ端子を差し込む凹部を有する胴体の下端部に、該胴体と他の配線用端子を端子台に固定するためのネジ部を取り付けてバナナ端子接続用の端子固定具を形成し、胴体の外周全体を絶縁材により被覆している。また、胴体は、所定の高さを備え、その上端部にバナナ端子を差し込む凹部を有する。さらに、胴体は、凹部の開口端縁にテーパー部を備え、胴体のテーパー部と上端面部分を含む胴体の外周全体を絶縁材により被覆している。【選択図】図１
2008258069.tif 000002
【特許請求の範囲】
【請求項１】
バナナ端子を差し込む凹部を有する胴体の下端部に、該胴体と他の配線用端子を端子台に固定するためのネジ部を取り付けてバナナ端子接続用の端子固定具を形成し、胴体の外周全体を絶縁材により被覆したことを特徴とする端子台におけるバナナ端子接続用の端子固定具。
【請求項２】
胴体は、所定の高さを備え、その上端部にバナナ端子を差し込む凹部を有する請求項１に記載の端子台におけるバナナ端子接続用の端子固定具。
【請求項３】
胴体は、凹部の開口端縁にテーパー部を備え、胴体のテーパー部と上端面部分を含む胴体の外周全体を絶縁材により被覆している請求項１または２に記載の端子台におけるバナナ端子接続用の端子固定具。
【請求項４】
絶縁材は、熱収縮可能な絶縁性を有するプラスチックやビニール等の薄膜等である請求項１乃至３のいずれかに記載の端子台におけるバナナ端子接続用の端子固定具。
【発明の詳細な説明】
【技術分野】
【０００１】
本発明は、例えば、原子力発電所や火力発電所等に設置されている制御盤に配設された端子台に、バナナ端子を電気接続した状態で固定するための、端子台におけるバナナ端子接続用の端子固定具に関するものである。
【背景技術】
【０００２】
従来において、原子力発電所や火力発電所等に設置されている制御盤における端子台を用いた各種の試験・検査等を行う際には、運転員等が、制御盤に配設された端子台において、所謂ジャンパー・リフトを実施して信号を模擬することで、各種の試験・検査等を行っているのが一般的である。
【０００３】
例えば、原子力発電所や火力発電所等に設置されている制御盤に配設されたケーブル用の端子台で、ケーブル及びビスの取り付けの実施を伴う、所謂ジャンパーを行うことにより、各種の試験・検査等を実施している。
【０００４】
具体的には、この試験・検査に際し、図４に示すように、端子台Ｐにビス１００を介して固定されている、例えば、リング状の接続端子１０１の２箇所について、両端部にワニ口１０２を備えているリード線Ｒを用いて所定の試験・検査を行っている。
【０００５】
即ち、リード線Ｒのワニ口１０２を、接続端子１０１を固定しているそれぞれのビス１００に噛ませて接続し、所謂ジャンパーを行うことにより、各種の試験・検査等を実施しているのである。
【０００６】
また、従来においては、例えば、端子台Ｐにおけるケーブルのリフトに際して、止めネジ１０２やＯ型端子付きケーブル１０３を外す（図５参照）ことなく、内設されたスイッチ機構によってケーブル１０３同士を短絡可能とし、且つ任意で一つ以上のケーブルについて容易にリフトを行うことができる端子台Ｐを構成した技術（特許文献１）が存在する。
【０００７】
すなわち、特許文献１においては、図６に示すように、計器アイソレーション時でケーブルをジャンパーする際に、例えば、Ｏ型端子２００ａ付きケーブル２００と、他のケーブルをジャンパーさせる場合は、チェックピン付きジャンパーケーブル２０１を用いて、端子板２０２のチェックピン挿入口２０３にチェックピン付きジャンパーケーブル２０１のチェックピンを挿入していた。
【０００８】
さらに、図示しない片方のチェックピンを、他のケーブルのチェックピン挿入口に同様に挿入していた。
【０００９】
これにより、チェックピン付きジャンパーケーブル２０１を介して、ジャンパー状態を実現していたのである。
【特許文献１】特開平１０−３１２８４２号公報
【発明の開示】
【発明が解決しようとする課題】
【００１０】
しかしながら、図４に示す、所謂ジャンパーを行う各種の試験・検査の実施においては、リード線Ｒの両端部に取り付けているワニ口１０２のツマミ部分を、例えば、親指と人差指で摘んで、ワニ口１０２を開かせて端子台Ｐのビス１００に噛ませなければならず、所謂ジャンパーを行う試験・検査等において、非常に手間がかかっていた。
【００１１】
また、ビス１００の形状により、ワニ口１０２をビス１００に噛ませることが難しかったり、噛ませたワニ口１０２がビス１００から簡単に外れてしまう事態も生じていた。
【００１２】
さらに、狭い作業環境下において、作業員が親指と人差指でワニ口１０２のツマミ部分を摘んで端子台Ｐのビス１００に噛ませる際に、リード線Ｒの両端部に取り付けているワニ口１０２が端子台Ｐの他の端子やその他の導通部に誤って接触してしまう危険性が十分にある。
【００１３】
そして、他の端子や導通部に接触すると、即時に端子間の短絡や地絡、信号の誤投入等を起こす可能性が十分にある。
【００１４】
一方、特許文献１に開示されている技術の場合、計器アイソレーション時等のケーブルのリフトが容易であり、さらに、ケーブルのジャンパー作業が安全で、迅速かつ簡潔に行えるものとしているが、計器の動作確認のために計器の入出力を確認する際には、端子台Ｐのチェックピン挿入口２０３にテスター等の測定器を接続し、ケーブル接続部に流れる電流値及び電圧値を測定することにより、当該計器の入出力値を測定することとしているため、試験・検査等の際、非常に手間がかかっていた。
【００１５】
また、特許文献１に開示されている技術の場合、端子板２０２のチェックピン挿入口２０３が低いため、チェックピン付きジャンパーケーブル２０１のチェックピンを挿入する作業が面倒であり、しかも、チェックピンの挿入時に、これが他の配線部品等に接触して、端子間の短絡等を起こすことで設備の災害を引き起こす危険性があった。
【００１６】
この他、近年においては、制御盤における端子台の各種の試験・検査作業をスムーズに行うために、リード線の両端にバナナ端子を備えて成る飛び越し導通線が用いられることもある。
【００１７】
すなわち、運転員等による検査時に、模擬信号等の入力を各設備の制御盤内で行うのであるが、接続ケーブルの端子台で実施するジャンパー箇所に、リード線の両端にバナナ端子を備えた飛び越し導通線を使用することにより、検査を行うのである。
【００１８】
しかしながら、リード線の両端にバナナ端子を備えた飛び越し導通線を使用する際に、バナナ端子を差し込むために現在使用されているバナナ端子接続用の端子固定具は、金属の削り出し加工によるだけで、その外表面に絶縁材による被覆が施されていないため、作業において危険性が十分にあった。
【００１９】
すなわち、絶縁材による被覆が施されていない現状のバナナ端子接続用の端子固定具を端子台に取り付けた状態で、隣接する端子台でジャンパーを実施する際、端子台に取り付けられている他のバナナ端子接続用の端子固定具に接触する危険性が十分にある。
【００２０】
特に、原子力発電所や火力発電所等に設置されている制御盤に配設された端子台においては、端子台の間隔が非常に狭い状態で存在するため、例えば、狭いスペースに作業員が腕を伸ばしてケーブルのジャンパーを実施するような状態となり、作業中に誤ってケーブルがバナナ端子接続用の端子固定具に接触してしまう危険性が十分にある。
【００２１】
また、原子力発電所や火力発電所等においては、端子間の短絡等により、誤作動及び誤起動を生じる虞がある。
【００２２】
そこで、本発明は如上のような従来存した諸事情に鑑み創出されたもので、制御盤における端子台でジャンパーを実施する際に、端子台の周囲に存在する配線部品と干渉せずにジャンパーを容易に実施できると共に、飛び越し導通線のバナナ端子が、端子台に取り付けられているバナナ端子接続用の端子固定具に接触した場合であっても、端子間の短絡等を阻止して、設備の災害の発生を未然に防止することができる、端子台におけるバナナ端子接続用の端子固定具を提供することを目的とする。
【課題を解決するための手段】
【００２３】
本発明に係る端子台におけるバナナ端子接続用の端子固定具は、バナナ端子を差し込む凹部を有する胴体の下端部に、該胴体と他の配線用端子を端子台に固定するためのネジ部を取り付けてバナナ端子接続用の端子固定具を形成し、胴体の外周全体を絶縁材により被覆したことにより、上述した課題を解決した。
【００２４】
また、胴体は、所定の高さを備え、その上端部にバナナ端子を差し込む凹部を有することで、同じく上述した課題を解決した。
【００２５】
さらに、胴体は、凹部の開口端縁にテーパー部を備え、胴体のテーパー部と上端面部分を含む胴体の外周全体を絶縁材により被覆していることで、同じく上述した課題を解決した。
【００２６】
また、絶縁材は、熱収縮可能な絶縁性を有するプラスチックやビニール等の薄膜等であることで、同じく上述した課題を解決した。
【発明の効果】
【００２７】
本発明に係る端子台におけるバナナ端子接続用の端子固定具は、バナナ端子を差し込む凹部を有する胴体の下端部に、該胴体と他の配線用端子を端子台に固定するためのネジ部を取り付けてバナナ端子接続用の端子固定具を形成しているため、所謂ケーブルのジャンパーを行う各種の試験・検査等の実施においては、胴体の凹部にバナナ端子を差し込むだけで良い。
【００２８】
即ち、従来の試験・検査等において実施されていた、リード線の両端部に取り付けているワニ口のツマミ部分を、例えば、親指と人差指で摘んで、ワニ口を開かせて端子台のビスに噛ませるという面倒な作業をする必要がなくなったのである。
【００２９】
特に、原子力発電所や火力発電所等に設置されている制御盤に配設された端子台においては、端子台の両端が非常に狭い状態で存在するため、例えば、狭いスペースに作業員が腕を伸ばしてケーブルのジャンパーを実施しなければならないような状態となってしまう。
【００３０】
そして、このような過酷な状況下において、リード線の両端部に取り付けているワニ口のツマミ部分を、例えば、親指と人差指で摘んで、ワニ口を開かせて端子台のビスに噛ませるといった面倒な作業を排除し、バナナ端子接続用の端子固定具にバナナ端子を差し込むだけで良いことから、所謂ケーブルのジャンパーを行う各種の試験・検査等を、迅速に行うことができるのである。
【００３１】
また、胴体の外周全体を絶縁材により被覆したことにより、飛び越し導通線のバナナ端子が、端子台に取り付けられている他のバナナ端子接続用の端子固定具に接触したとしても、端子間の短絡等を阻止して、設備の災害の発生を未然に防止することができる。
【００３２】
特に、原子力発電所においては、端子間の短絡等の防止を図ることにより、機器類への誤作動が防止できると共に、安全を維持できるのである。
【００３３】
また、原子力発電所や火力発電所等に設置されている制御盤に配設された端子台においては、端子台の間隔が非常に狭い状態で存在するため、狭い作業環境下でケーブルのジャンパーを実施する状態となり、作業中に誤って他のバナナ端子に接触してしまう危険性が十分にある。
【００３４】
そして、このような過酷な状況下において、作業中に誤って他のバナナ端子に接触したとしても、端子間の短絡等を阻止して、設備の災害の発生を未然に防止するため、胴体の外周全体を絶縁材により被覆したのである。
【００３５】
また、胴体は、所定の高さを備え、その上端部にバナナ端子を差し込む凹部を有するので、各種の制御盤における端子台でケーブルのジャンパーを実施する際に、端子台の周囲に存在する配線部品が邪魔になることがなく、ケーブルのジャンパーを容易に実施することができる。
【００３６】
さらに、胴体は、凹部の開口端縁にテーパー部を備え、胴体のテーパー部と上端面部分を含む胴体の外周全体を絶縁材により被覆しているので、バナナ端子接続用の端子固定具の胴体における凹部にバナナ端子を差し込む過程において、該バナナ端子の先端が、他のバナナ端子の胴体のテーパー部や、胴体の上端面部分に接触したとしても、その導通を未然に阻止することができる。
【００３７】
また、絶縁材は、熱収縮可能な絶縁性を有するプラスチックやビニール等の薄膜等であるので、バナナ端子接続用の端子固定具の胴体に密着した状態で絶縁材を被覆させることができ、長時間が経過した場合であっても、絶縁材が胴体から脱落することがない。
【００３８】
この他、絶縁材による胴体の被覆を、低コストで行うことができる。
【発明を実施するための最良の形態】
【００３９】
以下に、本発明を実施するための最良の形態を、図面を参照して説明する。
【００４０】
本発明に係る端子台Ｐにおけるバナナ端子Ｖ接続用の端子固定具１は、図１に示すように、飛び越し導通線Ｑとしてのバナナ端子Ｖを差し込む凹部２ａを有する胴体２の下端部に、該胴体２と、端子台Ｐの既設の配線構成要素である、例えば、リング状等の他の配線用端子５を端子台Ｐに固定するためのネジ部３を取り付けて、バナナ端子Ｖ接続用の端子固定具１を形成している。
【００４１】
また、図２に示すように、胴体２の外周全体を絶縁材４により被覆している。
【００４２】
飛び越し導通線Ｑとしてのバナナ端子Ｖは、図１に示すように、リード線Ｒの両端に接続して形成されている。
【００４３】
バナナ端子Ｖ接続用の端子固定具１を構成する胴体２は、バナナ端子Ｖを差し込む凹部２ａを有する有底円筒状に形成されている。
【００４４】
また、該胴体２の下面には、ネジ部３を突出した状態に取り付けてあり、該ネジ部３を、前記リング状の他の配線用端子５に挿通した状態で、端子台Ｐの接点用ネジ穴Ｐ２にねじ込んで固定している。
【００４５】
そして、図１に示すように、端子台Ｐに固定された胴体２は、自身の凹部２ａにバナナ端子Ｖを差し込む際に、胴体２の周囲に存在する仕切板や、他の配線器具等が邪魔にならない程度の高さを備えている。
【００４６】
また、図２に示すように、胴体２の凹部２ａの開口端縁部には、内側に向けて傾斜したテーパー部２ｂが形成されている。
【００４７】
さらに、胴体２の凹部２ａの開口端縁部には、その対称位置に、一対の切り込み部２ｃを設けることで、マイナスドライバー等を用いて、端子台Ｐにバナナ端子Ｖ接続用の端子固定具１や、リング状の他の配線用端子５を固定できるようにしている。
【００４８】
このように、胴体２の凹部２ａの開口端縁部に、内側に向けて傾斜したテーパー部２ｂと、一対の切り込み部２ｃを設けることで、胴体２の凹部２ａにバナナ端子Ｖを容易に挿入できるようにしている。
【００４９】
この他、図２・図３に示すように、端子固定具１を構成する胴体２の外周を、絶縁材４により被覆している。
【００５０】
この絶縁材４は、例えば、熱収縮可能な絶縁性を有するプラスチックやビニール等の薄膜等を用い、シュリンクラッピング等の手法により、胴体２の外周を被覆するものである。
【００５１】
尚、胴体2のテーパー部２ｂと、胴体2の上端面部分２dを含む胴体２の外周全体を絶縁材４により被覆しても良い。
【００５２】
また、前記した飛び越し導通線Ｑは、バナナ端子Ｖの差し込み先端部分を除いた、ツマミ部分とリード線Ｒ部分が、ビニール等で絶縁状態に被覆されていることは勿論である。
【００５３】
次に、以上のように構成された本発明の最良の形態について、バナナ端子Ｖ接続用の端子固定具１の形成と、端子固定具１の使用の一例について説明する。
【００５４】
先ず、図２に示すように、端子固定具１の外形寸法に対応して略筒状に形成された絶縁性を有するプラスチックやビニール等の薄膜等を端子固定具１の胴体２に取り付ける。そして、図３に示すように、この絶縁材４を熱収縮させて胴体２にしっかりと密着させた状態に固定する。
【００５５】
このとき、絶縁材４は、端子固定具１の胴体２の外周を被覆している。そして、絶縁材４を熱収縮させた後に、胴体２の外周の切り込み部２ｃに位置する絶縁材４をカットするのである。
【００５６】
絶縁材４により胴体２を被覆した端子固定具１を使用する際には、予め端子台Ｐの接点用ネジ穴Ｐ２に他の配線用端子５を合致させておき、胴体２のネジ部３を端子台Ｐの接点用ネジ穴Ｐ２にねじ込んで、端子固定具１を他の配線用端子５と共に端子台Ｐに固定する。そして、飛び越し導通線Ｑのバナナ端子Ｖの差し込み先端部分を、胴体２の凹部２ａ内に差し込む。
【００５７】
このとき、端子固定具１を構成する胴体２の外周が絶縁材４により被覆されていると同時に、飛び越し導通線Ｑのバナナ端子Ｖの差し込み先端部分を除くツマミ部分とリード線Ｒ部分がビニール等で絶縁状態に被覆されているため、特定の端子固定具１の胴体２の凹部２ａにバナナ端子Ｖを差し込む前に、端子台Ｐにおける他の端子固定具１の胴体２や飛び越し導通線Ｑにバナナ端子Ｖが誤って接触しても、導通が阻止されるのである。
【００５８】
尚、絶縁材４は、シュリンクラッピングの手法により胴体２を被覆することに限定されるものではない。
【００５９】
例えば、一側面が貼着面となっている絶縁テープを胴体２を巻き込むようにして貼着させたり、また、胴体２をプラスチックにドブ漬けして絶縁材４を被覆するもの等であっても差し支えない。
【００６０】
また、胴体2のテーパー部２ｂと、胴体2の上端面部分２dを含む胴体２の外周全体を絶縁材４により被覆したときには、バナナ端子Ｖの先端が、誤って他のバナナ端子Ｖの胴体２のテーパー部２ｂや、胴体２の上端面部分２dに接触したとしても、その導通を未然に阻止することができる。
【産業上の利用可能性】
【００６１】
本発明に係る端子台におけるバナナ端子接続用の端子固定具は、原子力発電所や火力発電所等の中央制御室に設置されている制御盤に配設された端子台に使用される他に、バナナ端子を電気接続した状態で固定する種々の端子台に、幅広く利用することができる。
【図面の簡単な説明】
【００６２】
【図１】凹部を有する胴体の下端部に、該胴体と他の配線用端子を端子台に固定するためのネジ部を取り付けてバナナ端子接続用の端子固定具を形成し、端子台に取り付けている両端子固定具に、飛び越し導通線のバナナ端子を挿入する状態を示す分解斜視図である。
【図２】端子固定具を構成する胴体の外周全体を、絶縁材により被覆する状態を示す分解斜視図である。
【図３】端子固定具を構成する胴体の外周全体を、絶縁材により被覆した状態を示す断面図である。
【図４】リード線の両端部に取り付けているワニ口を開かせて端子台のビスに噛ませる、従来のジャンパー手法を示す分解斜視図である。
【図５】端子台におけるケーブルのリフトに際して、止めネジやＯ型端子付きケーブルを外している従来の端子台の構成を示す斜視図である。
【図６】チェックピン付きジャンパーケーブルを用いて、端子板のチェックピン挿入口にチェックピン付きジャンパーケーブルのチェックピンを挿入している従来の端子台（特許文献１）の構成を示す断面図である。
【符号の説明】
【００６３】
Ｐ…端子台
Ｐ２…接点用ネジ穴
Ｑ…飛び越し導通線
Ｒ…リード線
Ｖ…バナナ端子
１…端子固定具
２…胴体
２ａ…凹部
２ｂ…テーパー部
２ｃ…切り込み部
２d…上端面部分
３…ネジ部
４…絶縁材
１００…ビス
１０１…接続端子
１０２…ワニ口
１０３…Ｏ型端子付きケーブル
２００…ケーブル
２００ａ…Ｏ型端子
２０１…ジャンパーケーブル
２０２…端子板
２０３…チェックピン挿入口
【図１】
2008258069.tif 000003
【図２】
2008258069.tif 000004
【図３】
2008258069.tif 000005
【図４】
2008258069.tif 000006
【図５】
2008258069.tif 000007
【図６】
2008258069.tif 000008